(57)【要約】【課題】  スロットル制御装置に多量の水が掛った場合でもバルブ駆動手段の収納空間内に水等が浸入しないようにするとともに、収納空間内の空気が急激に冷やされて収縮した場合でもその収納空間内が負圧になり難くすることを目的とする。【解決手段】  本発明に係るスロットル制御装置は、空気流路であるボア１３を備えるスロットルボデー１２と、ボア１３内でスロットルバルブ１８を回転させるバルブ駆動手段と、前記バルブ駆動手段を収納する収納空間Ｓとを有するスロットル制御装置であって、収納空間Ｓは、シール材２９ｓを用いて水密な状態で形成されており、収納空間Ｓを構成する壁材の一部３４は、その収納空間Ｓ内の空気の膨張、あるいは収縮に伴って変形が可能なように形成されている。【選択図】      図１
2007231828.tif 000002
【特許請求の範囲】
【請求項１】
空気流路であるボアを備えるスロットルボデーと、前記ボア内でスロットルバルブを回転させるバルブ駆動手段と、前記バルブ駆動手段を収納する収納空間とを有するスロットル制御装置であって、
前記収納空間は、シール材を用いて水密な状態で形成されており、
前記収納空間を構成する壁材の一部は、その収納空間内の空気の膨張、あるいは収縮に伴って変形が可能なように形成されていることを特徴とするスロットル制御装置。
【請求項２】
請求項１に記載されたスロットル制御装置であって、
前記収納空間は、前記スロットルボデー内でバルブ駆動手段を収納する主収納空間と、前記スロットルボデーの外側で前記主収納空間と連通する副収納空間とから構成されており、
前記副収納空間の壁材が変形可能に形成されていることを特徴とするスロットル制御装置。
【請求項３】
請求項１に記載されたスロットル制御装置であって、
前記収納空間は、開口を有する収納空間本体と、その開口を塞ぐ蓋とから構成されており、
前記蓋の一部が変形可能に形成されていることを特徴とするスロットル制御装置。
【請求項４】
請求項１から請求項３のいずれかに記載されたスロットル制御装置であって、
前記壁材の一部、あるいは前記蓋の一部が弾性体によって変形可能に構成されていることを特徴とするスロットル制御装置。
【請求項５】
請求項１から請求項３のいずれかに記載されたスロットル制御装置であって、
前記壁材の一部、あるいは前記蓋の一部の剛性を、前記壁材の他の部分、あるいは前記蓋の他の部分の剛性よりも低下させることで、前記壁材の一部、あるいは前記蓋の一部が変形可能に構成されていることを特徴とするスロットル制御装置。
【請求項６】
空気流路であるボアを備えるスロットルボデーと、前記ボア内でスロットルバルブを回転させるバルブ駆動手段と、前記バルブ駆動手段を収納する収納空間とを有するスロットル制御装置であって、
前記収納空間は、シール材を用いて水密な状態で形成されており、
前記収納空間を構成する壁材の一部は、通気性の防水材料によって形成されていることを特徴とするスロットル制御装置。
【請求項７】
請求項１から請求項６のいずれかに記載されたスロットル制御装置であって、
変形可能に形成されている壁材の一部、あるいは通気性の防水材料によって形成されている壁材の一部は、保護カバーによって通気可能な状態で覆われていることを特徴とするスロットル制御装置。
【発明の詳細な説明】
【技術分野】
【０００１】
本発明は、エンジンの吸入空気量の調節に使用されるスロットル制御装置の防水構造に関する。
【背景技術】
【０００２】
上記したスロットル制御装置の防水構造に関する技術が特許文献１に記載されている。
スロットル制御装置１１０は、図６に示すように、空気流路であるボア（図示省略）を形成するボア壁部１１２と、ボア壁部１１２の側面でバルブ駆動手段を収納するハウジング部１１４とを有するスロットルボデー１１１を備えている。バルブ駆動手段は、ボア内でスロットルバルブを回転させる手段であり、モータや歯車等の駆動系部品、及び開度センサ等のセンサ系部品から構成されている。そして、前記バルブ駆動手段がハウジング部１１４内に形成された収納空間Ｓに収められた状態で、その収納空間Ｓの開口Ｓｋが蓋（図示省略）により閉じられる。ハウジング部１１４内の収納空間Ｓには上部に迷路状の呼吸穴１１４ａが形成されており、下端部に水抜き穴１１４ｂが形成されている。
このため、スロットル制御装置に水が掛った場合でも、呼吸穴１１４ａが迷路状に形成されることで、収納空間Ｓ内に水等が入り難くなる。また、スロットル制御装置１１０が冷えて空気中の水分が結露した場合でも、収納空間Ｓの下端部の水抜き穴１１４ｂからその水滴が排出される。
【０００３】
【特許文献１】特開２００２−３５７１３１号公報
【発明の開示】
【発明が解決しようとする課題】
【０００４】
しかし、上記したスロットル制御装置１１０では、多量の水が掛った場合や水に漬かった場合等には、呼吸穴１１４ａ、水抜き穴１１４ｂから収納空間Ｓ内に水やダストが入り込み、バルブ駆動手段のモータやセンサ系部品が動作不良を起こすことが考えられる。
この点を防止するため、収納空間Ｓの開口Ｓｋと前記蓋との間にシール材を装着して、前記収納空間Ｓを水密な状態で形成することが考えられる。
しかし、上記構成では、例えば、高圧洗車等で、スロットル制御装置１１０のハウジング部１１４に多量の水が掛った場合等に、収納空間Ｓ内の空気が急激に冷やされて収縮し、その収納空間Ｓ内が負圧になることがある。収納空間Ｓ内が負圧になると、前記蓋と収納空間Ｓの開口Ｓｋとの間にシール材を装着しても、水やダストがシール材と収納空間Ｓの開口Ｓｋ間、あるいはシール材と蓋間を通過して収納空間Ｓ内に吸い込まれるおそれがある。
【０００５】
本発明は、上記問題点を解決するためになされたものであり、本発明の技術的課題は、スロットル制御装置に多量の水が掛った場合でもバルブ駆動手段の収納空間内に水等が浸入しないようにするとともに、前記収納空間内の空気が急激に冷やされて収縮した場合でもその収納空間内が負圧になり難くして、前記収納空間内に水やダストが吸い込まれないようにすることである。
【課題を解決するための手段】
【０００６】
上記した課題は、各請求項の発明によって解決される。
請求項１の発明は、空気流路であるボアを備えるスロットルボデーと、前記ボア内でスロットルバルブを回転させるバルブ駆動手段と、前記バルブ駆動手段を収納する収納空間とを有するスロットル制御装置であって、前記収納空間は、シール材を用いて水密な状態で形成されており、前記収納空間を構成する壁材の一部は、その収納空間内の空気の膨張、あるいは収縮に伴って変形が可能なように形成されていることを特徴とする。
ここで、「バルブ駆動手段」とは、モータ、歯車等、スロットルバルブの駆動系部品のみならず、開度センサ等、スロットルバルブの回転制御に必要な全ての部品を含むものとする。
【０００７】
本発明によると、収納空間は、シール材を用いて水密な状態で形成されているため、スロットル制御装置に多量の水が掛った場合でも収納空間内に水やダスト等が浸入しない。
さらに、前記収納空間を構成する壁材の一部は、その収納空間内の空気の膨張、あるいは収縮に伴って変形可能なように形成されている。このため、例えば、収納空間内の空気が急激に冷やされて収縮した場合には、空気の収縮に伴って前記壁材の一部が変形し、収納空間の容積が減少する。したがって、収納空間内が負圧になり難く、水やダスト等がシール材の部分を通過して前記収納空間内に吸い込まれるようなことがない。
【０００８】
請求項２の発明によると、収納空間は、スロットルボデー内でバルブ駆動手段を収納する主収納空間と、前記スロットルボデーの外側で前記主収納空間と連通する副収納空間とから構成されており、前記副収納空間の壁材が変形可能に形成されていることを特徴とする。
このように、スロットルボデーの外側に変形可能な壁材により形成された副収納空間を設けるため、スロットルボデーのサイズに係わらず副収納空間の容積を自由に設定することができる。
請求項３の発明によると、収納空間は、開口を有する収納空間本体と、その開口を塞ぐ蓋とから構成されており、前記蓋の一部が変形可能に形成されていることを特徴とする。このため、スロットルボデーの強度を低下させることなく、前記収納空間の壁材の一部を変形可能に形成することができる。
【０００９】
請求項４の発明によると、壁材の一部、あるいは蓋の一部が弾性体によって変形可能に構成されていることを特徴とする。
請求項５の発明によると、壁材の一部、あるいは蓋の一部の剛性を、前記壁材の他の部分、あるいは前記蓋の他の部分の剛性よりも低下させることで、前記壁材の一部、あるいは前記蓋の一部が変形可能に構成されていることを特徴とする。
【００１０】
請求項６の発明は、空気流路であるボアを備えるスロットルボデーと、前記ボア内でスロットルバルブを回転させるバルブ駆動手段と、前記バルブ駆動手段を収納する収納空間とを有するスロットル制御装置であって、前記収納空間は、シール材を用いて水密な状態で形成されており、前記収納空間を構成する壁材の一部は、通気性の防水材料によって形成されていることを特徴とする。
本発明によると、収納空間を構成する壁材の一部は、通気性の防水材料によって形成されている。このため、例えば、収納空間内の空気が急激に冷やされて収縮した場合には、外気が通気性の防水材料を通って収納空間内に流入するようになる。これによって、収納空間内が負圧ならず、水やダスト等がシール材の部分を通過して前記収納空間内に吸い込まれることがない。
請求項７の発明によると、変形可能な材料により形成されている壁材の一部、あるいは通気性の防水材料によって形成されている壁材の一部は、保護カバーによって通気可能な状態で覆われていることを特徴とする。
このため、変形可能な材料、あるいは通気性の防水材料により形成されている壁材の一部の強度が低い場合でも、保護カバーによって前記壁材の破損防止を図ることができる。
【発明の効果】
【００１１】
本発明によると、スロットル制御装置に多量の水が掛った場合でも収納空間内に水等が浸入することがない。また、収納空間内の空気が急激に冷やされて収縮した場合でもその収納空間内が負圧にならないため、水やダストがシール材の部分を通過して収納空間内に吸い込まれることがない。
【発明を実施するための最良の形態】
【００１２】
［実施形態１］
以下、図１から図３に基づいて本発明の実施形態１に係るスロットル制御装置の説明を行う。ここで、図１、図２は本実施形態に係るスロットル制御装置の平断面図等、図３はスロットル制御装置の変更例に係る収納空間の壁材を表す平断面図である。
【００１３】
＜スロットル制御装置１０の概要について＞
スロットル制御装置１０は、エンジンの吸入空気量の調節に使用される電子制御式装置であり、自動車の運転室内に設置されたアクセルペタル（図示省略）の動作と連動するように構成されている。
スロットル制御装置１０は、樹脂製あるいはアルミ合金製等のスロットルボデー１２を備えている。スロットルボデー１２は、図１（Ａ）に示すように、空気流路であるボア１３を形成する中空円筒状のボア壁部１４とモータハウジング部１７とを一体に有している。ボア壁部１４は、上流側がエアクリーナ（図示省略）に接続され、下流側がインテークマニホールド（図示省略）に接続されるように構成されている。
スロットルボデー１２のボア壁部１４には、前記ボア１３を径方向に横切る金属製のスロットルシャフト１６が通されている。スロットルシャフト１６は、ボア壁部１４の左右の設けられた軸受部１５によって回転可能に支持されている。ここで、右側の軸受部１５はボールベアリング軸受１５ｂを備え、左側の軸受部１５はスラスト軸受１５ｓを備えている。そして、スラスト軸受１５ｓを備える左側の軸受部１５の開口端がプラグ１６ｃによって密封されている。
スロットルシャフト１６には、ボア１３内で回転可能に構成された円板状のスロットルバルブ１８がスクリュ１８ｓによって固定されている。
【００１４】
また、右側の軸受部１５を貫通したスロットルシャフト１６の端部には扇形のスロットルギヤ２２が回り止めされた状態で固定されている。ここで、スロットルボデー１２のボア壁部１４の右側面には、右側の軸受部１５を底部位置に備える凹部１４ｈが形成されており、前記扇形のスロットルギヤ２２はその凹部１４ｈ内に収納されている。さらに、前記凹部１４ｈ内で、右側の軸受部１５とスロットルギヤ２２との周囲には、スロットバルブ１８を閉じる方向へ付勢されたコイル状のバックスプリング２４ｓが装着されている。
前記スロットルボデー１２のモータハウジング部１７は、スロットルシャフト１６の軸線に対してほぼ平行となるように有底円筒状に形成されている。そして、モータハウジング部１７内に、例えばＤＣモータ等からなるモータ１７ｍが収納されている。
【００１５】
また、スロットルボデー１２には、ボア壁部１４の凹部１４ｈとモータハウジング部１７との間の位置にスロットルシャフト１６と平行なカウンタシャフト２３が設けられている。そして、前記カウンタシャフト２３にカウンタギヤ２４が回転可能に支持されている。カウンタギヤ２４はギヤ径の異なる二つのギヤ部２４ａ，２４ｂを有しており、大径側のギヤ部２４ａがモータ１７ｍの出力回転軸（図示省略）のモータピニオン１７ｐと噛合しており、小径側のギヤ部２４ｂが前記スロットルギヤ２２と噛合している。このため、モータ１７ｍがエンジンコントロールユニット（図示省略）からの信号でアクセルペダルの踏み込み量等に基づいて駆動されると、モータ１７ｍの回転力はモータピニオン１７ｐ、カウンタギヤ２４、スロットルギヤ２２を介してスロットルシャフト１６に伝達される。これによって、スロットバルブ１８がバックスプリング２４ｓのバネ力に抗してボア１３内で回転し、ボア１３を流れる吸入空気量がコントロールされる。
【００１６】
＜スロットル制御装置１０の防水構造について＞
スロットルボデー１２の右側面には、モータピニオン１７ｐ、カウンタギヤ２４、スロットルギヤ２２等を覆った状態で、ボア壁部１４の凹部１４ｈの開口、及びモータハウジング部１７の開口１７ｋを閉じる樹脂製の側面カバー２９が取付けられている。スロットルボデー１２と側面カバー２９との間にはオーリング２９ｓが介在されており、スロットルボデー１２内の空間Ｓ（以下、収納空間Ｓという）が水密な状態に保持されている。
また、スロットルギヤ２２と側面カバー２９との間には、スロットバルブ１８の開度を検出するためのスロットルセンサ２８が設けられている。
即ち、モータ１７ｍ、モータピニオン１７ｐ、カウンタギヤ２４、スロットルギヤ２２、スロットルセンサ２８、及びスロットルシャフト１６等が本発明のバルブ駆動手段に相当し、前記バルブ駆動手段を収納するスロットルボデー１２内の収納空間Ｓ、即ち、ボア壁部１４の凹部１４ｈ、モータハウジング部１７の内部空間が本発明の主収納空間、及び収納空間本体に相当する。また、側面カバー２９が本発明の蓋に相当し、オーリング２９ｓが本発明のシール材に相当する。
【００１７】
スロットルボデー１２のモータハウジング部１７には、図１（Ａ）に示すように、モータハウジング部１７の内部空間と連通する略Ｌ字形の連通管３２の基端部が接続されている。そして、連通管３２の先端に袋状のサージタンク３４が接続されている。即ち、スロットルボデー１２内の収納空間Ｓとサージタンク３４とは連通管３２を介して連通している。したがって、前記サージタンク３４の内部空間が本発明の副収納空間に相当する。
サージタンク３４は、略円筒状に形成された密閉構造のタンクであり、例えば、ゴムや軟化プラスチック等により変形可能に形成されている。なお、サージタンク３４の壁材は内部の圧力変化で変形が可能なものであれば良く、必ずしも伸縮可能な弾性材料を使用する必要はない。
サージタンク３４は、図１（Ｂ）に示すように、連結機構３５によってスロットルボデー１２の外側面に支持されている。連結機構３５は、サージタンク３４の外側面に形成された弾性変形可能な突起３５ｔと、スロットルボデー１２の外側面に形成されて前記突起３５ｔが係合する凹部３５ｗとから構成されている。そして、前記連結機構３５の突起３５ｔと凹部３５ｗとが弾性的に嵌合することで、サージタンク３４はスロットルボデー１２に連結される。
なお、サージタンク３４の周囲は、保護カバー（図示省略）によって覆われている。
【００１８】
＜本実施形態に係るスロットル制御装置１０の長所について＞
本実施形態に係るスロットル制御装置１０によると、スロットルボデー１２のボア壁部１４における凹部１４ｈの開口、及びモータハウジング部１７の開口１７ｋは、オーリング２９ｓを介した状態で側面カバー２９により塞がれている。即ち、バルブ駆動手段を収納するスロットルボデー１２の収納空間Ｓ（収納空間本体）は水密な状態で側面カバー２９（蓋）によって塞がれている。このため、スロットル制御装置１０に多量の水が掛ったり、スロットル制御装置１０が、例えば、水に漬かった場合でも収納空間Ｓ内に水やダストが浸入することはない。
さらに、スロットルボデー１２の収納空間Ｓと連通するサージタンク３４は、ゴムや軟化プラスチック等により変形可能に形成されている。このため、スロットルボデー１２に高圧洗車等による水が掛り、収納空間Ｓ内の空気が急激に冷やされて収縮すると、その収納空間Ｓ内の空気の収縮に伴ってサージタンク３４内の空気が前記収納空間Ｓ側に吸引され、図２に示すように、サージタンク３４が潰れるようになる。これによって、スロットルボデー１２の収納空間Ｓ内の負圧が抑制されて、水やダスト等がオーリング２９ｓ（シール材）の部分を通過して前記収納空間Ｓ内に吸い込まれることがなくなる。
また、エンジンの暖気によりスロットルボデー１２が加熱されて収納空間Ｓ内の空気が膨張すると、収納空間Ｓ内の空気がサージタンク３４内に流入して、サージタンク３４は元の形状に戻される。
【００１９】
＜変更例＞
本実施形態に係るスロットル制御装置１０では、サージタンク３４を利用してスロットルボデー１２の収納空間Ｓ内の負圧を抑制する例を示した。しかし、サージタンク３４の代わりに、図３に示すように、スロットルボデー１２の側面カバー２９に円形開口２９ｈを形成し、その円形開口２９ｈを、例えば、ゴム製のシート３９で塞ぐような構成でも可能である。
即ち、図３の構成では、シート３９は平面円形に成形されており、そのシート３９の端縁にリング状のシール部３９ｒが一体成形されている。また、側面カバー２９の円形開口２９ｈの周縁には、シート３９のシール部３９ｒが嵌合するリング状の溝２９ｍが形成されている。そして、側面カバー２９の前記溝２９ｍとシート３９のシール部３９ｒとが嵌合し、側面カバー２９の円形開口２９ｈがシート３９によって塞がれた状態で、そのシート３９が保護カバー４１によって覆われる。
【００２０】
保護カバー４１は、シート３９に対して物が当たらないように保護する有底円筒状のカバーであり、その開口周縁部分にフランジ部４１ｆが設けられている。フランジ部４１ｆは内周縁の部分でシート３９のシール部３９ｒを押圧した状態で、外周縁の部分が側面カバー２９にビス止めされるように構成されている。そして、保護カバー４１のフランジ部４１ｆが側面カバー２９にビス止めされた状態で、その保護カバー４１のフランジ部４１ｆと側面カバー２９の溝２９ｍとの間にシート３９のシール部３９ｒが挟まれるようになる。即ち、側面カバー２９の円形開口２９ｈを覆ったシート３９がシール状態でその側面カバー２９に固定されるとともに、前記シート３９が保護カバー４１によって覆われるようになる。さらに、前記保護カバー４１には、その保護カバー４１の内部と外部とを連通させる貫通穴４１ｅが下端位置に形成されている。
上記構成により、スロットルボデー１２の収納空間Ｓ内の空気が急激に冷やされて収縮した場合には、空気の収縮に伴ってシート３９が収納空間Ｓの内側に弾性変形し、その収納空間Ｓ内の負圧が抑制される。このため、水やダスト等がオーリング２９ｓ（シール材）の部分を通過してスロットルボデー１２の収納空間Ｓ内に吸い込まれることがない。なお、シート３９が収納空間Ｓの内側に弾性変形する際に、保護カバー４１の貫通穴４１ｅから空気が内部に流入するため、保護カバー４１内が負圧にならず、シート３９の変形が妨げられない。
また、スロットルボデー１２の収納空間Ｓ内の空気が膨張すると、シート３９が保護カバー４１側に弾性変形する。このとき、保護カバー４１内の空気は貫通穴４１ｅから外部に流出する。
【００２１】
［実施形態２］
以下、図４、図５に基づいて本発明の実施形態２に係るスロットル制御装置の説明を行う。ここで、図４（Ａ）は本実施形態に係るスロットル制御装置の平断面図、図４（Ｂ）は図４（Ａ）のＢ矢視部拡大図であり、図５は側面カバーにおいて保護カバー５１を除いた状態の正面図である。
本実施形態に係るスロットル制御装置１０は、スロットルボデー１２の収納空間Ｓ内に気体のみが流入できるようにし、その収納空間Ｓ内で空気が収縮した場合の前記収納空間Ｓ内の負圧を抑制できるようにしている。
即ち、スロットル制御装置１０の側面カバー２９には、図４に示すように、所定位置に円形開口２９ｈが形成されており、その円形開口２９ｈが通気性の防水シート５９によって塞がれている。
防水シート５９には、例えば、透湿防水素材等が使用されている。透湿防水素材とは、水は通さないが、水蒸気のような気体は通す特殊皮膜を布の表面に貼着させた素材である。前記特殊皮膜には、直径約0.3μm〜10μm程度の多数の孔が形成されており、それらの孔よりも小径の気体（水蒸気等  直径約0.0004μm）は通過可能で、前記孔よりも大径の水滴（雨等  直径約500μm）は通過できないように構成されている。ここで、特殊皮膜の材料には、例えば、ポリウレタン樹脂等が使用される。
【００２２】
防水シート５９は、側面カバー２９の円形開口２９ｈを塞げるように、円形開口２９ｈよりも大きな径寸法で、平面円形に成形されている。
また、側面カバー２９の円形開口２９ｈの周縁には、防水シート５９の端縁がセットされるリング状の段差部２９ｄが形成されている。そして、側面カバー２９のリング状の段差部２９ｄに防水シート５９の端縁を押さえる押圧リング５５が嵌め込まれるようになっている。このため、側面カバー２９の段差部２９ｄに防水シート５９の端縁をセットし、防水シート５９の端縁を押圧リング５５で押さえ、側面カバー２９、防水シート５９及び押圧リング５５の相互間を接着することにより、側面カバー２９の円形開口２９ｈがシール状態で防水シート５９に塞がれるようになる。
側面カバー２９の円形開口２９ｈを塞いだ防水シート５９は保護カバー５１によって覆われている。
保護カバー５１は、開口周縁部分のフランジ部５１ｆが接着剤等により側面カバー２９に固定されている。また、保護カバー５１には、その保護カバー５１の内部と外部とを連通させる貫通穴５１ｅが下端位置に形成されている。
上記構成により、スロットルボデー１２の収納空間Ｓ内の空気が急激に冷やされて収縮した場合には、空気の収縮に伴って外気が防水シート５９を介して収納空間Ｓ内に吸引されるようになる。これによって、スロットルボデー１２の収納空間Ｓ内の負圧が抑制され、水やダスト等がオーリング２９ｓ（シール材）の部分を通過してスロットルボデー１２の収納空間Ｓ内に吸い込まれることがない。
また、スロットルボデー１２の収納空間Ｓ内の空気が膨張すると、その空気が防水シート５９を介して外部に排出されるようになる。
【００２３】
＜変更例＞
ここで、実施形態１では、側面カバー２９に円形開口２９ｈを形成し、その円形開口２９ｈをゴム製のシート３９で塞ぐ例を示したが、スロットルボデー１２側に円形開口２９ｈを形成することも可能である。同様に、実施形態２では、側面カバー２９に円形開口２９ｈを形成し、その円形開口２９ｈを防水シート５９で塞ぐ例を示したが、スロットルボデー１２側に円形開口２９ｈを形成することも可能である。また、開口２９ｈの形状は適宜変更可能である。
また、実施形態１、２では、保護カバー４１，５１を有底円筒形に形成する例を示したが、保護カバー４１，５１の形状は適宜変更可能である。
また、実施形態１では、サージタンク３４をスロットルボデー１２に連結する例を示したが、サージタンク３４とスロットルボデー１２とを離して配置することも可能である。
また、実施形態１では、サージタンク３４の壁材をゴムや軟化プラスチックで形成する例を示したが、例えば、薄いプラスチック板をジャバラ状に折り曲げてサージタンク３４の壁材を形成することも可能である。
【図面の簡単な説明】
【００２４】
【図１】本発明の実施形態１に係るスロットル制御装置の平断面図（Ａ図）、及びＡ図のＢ矢視詳細図である（Ｂ図）。
【図２】スロットル制御装置の平断面図である。
【図３】スロットル制御装置の変更例に係る収納空間の壁材を表す平断面図である。
【図４】本発明の実施形態２に係るスロットル制御装置の平断面図（Ａ図）、及び図４（Ａ）のＢ矢視部拡大図（Ｂ図）である。
【図５】スロットル制御装置の側面カバーにおいて保護カバーを除いた状態の正面図である。
【図６】従来のスロットル制御装置におけるスロットルボデーの側面図である。
【符号の説明】
【００２５】
Ｓ          収納空間
１２        スロットルボデー
１３        ボア
１４ｈ      凹部（収納空間本体）
１６        スロットルシャフト（バルブ駆動手段）
１７        モータハウジング（収納空間本体）
１７ｍ      モータ（バルブ駆動手段）
１７ｐ      モータピニオン（バルブ駆動手段）
２２        スロットルギヤ（バルブ駆動手段）
２４        カウンタギヤ（バルブ駆動手段）
２８        スロットルセンサ（バルブ駆動手段）
１８        スロットルバルブ
２９        側面カバー（蓋）
２９ｓ      オーリング（シール材）
３４        サージタンク（副収納空間）
３９        シート（壁材の一部）
４１        保護カバー
５１        保護カバー
５９        防水シート（防水材料）
【図１】
2007231828.tif 000003
【図２】
2007231828.tif 000004
【図３】
2007231828.tif 000005
【図４】
2007231828.tif 000006
【図５】
2007231828.tif 000007
【図６】
2007231828.tif 000008